【手続補正書】
【提出日】平成17年10月17日(2005.10.17)
【手続補正１】
【補正対象書類名】明細書
【補正対象項目名】発明の名称
【補正方法】変更
【補正の内容】
【発明の名称】ディジタル放送の受信装置及びディジタル信号処理機器の認識方法
【手続補正２】
【補正対象書類名】明細書
【補正対象項目名】特許請求の範囲
【補正方法】変更
【補正の内容】
【特許請求の範囲】
【請求項１】  映像データ及びオーディオデータが圧縮されて多重化されたトランスポートストリームで送られるディジタル放送を受信するディジタル放送の受信装置において、
上記トランスポートストリームをデコードするデコーダと、
ディジタル信号処理機器と互いにトランスポートストリームをやり取りするためのディジタルインタフェースと、
上記ディジタルインタフェースに接続される複数のディジタル信号処理機器の中から所定数の機器を選択し、該選択された機器に識別番号を割り当てる登録手段と
を有することを特徴とするディジタル放送の受信装置。
【請求項２】  上記登録手段は、上記選択されたディジタル信号処理機器が上記ディジタルインタフェースに接続されているか否かに関わらず、上記選択されたディジタル信号処理機器に割り当てた識別番号を記憶し、登録維持するようにした請求項１に記載のディジタル放送の受信装置。
【請求項３】  上記登録手段は、上記ディジタル信号処理機器が上記ディジタルインタフェースに接続されるときに、接続される機器がすでに識別番号とともに登録されているか否か確認するようにした請求項１に記載のディジタル放送の受信装置。
【請求項４】  上記登録手段は、上記ディジタルインタフェースに接続されている機器のうち先着のものを上記所定数分自動的に登録するようにした請求項１に記載のディジタル放送の受信装置。
【請求項５】  上記登録手段は、ユーザ入力により登録の変更を可能とした請求項１に記載のディジタル放送の受信装置。
【請求項６】  上記登録手段は、予め登録されている機器のうち、番組録画予約が設定されている機器または接続されている機器の場合は、登録の変更を禁止するようにした請求項１に記載のディジタル放送の受信装置。
【請求項７】  上記登録されている機器の一覧表示を行うための表示処理回路を設けるようにした請求項１に記載のディジタル放送の受信装置。
【請求項８】  上記登録されている機器の一覧表示を行うための表示処理回路は、登録されている機器のうち上記ディジタルインタフェースに接続されている機器と接続されていない機器とが視覚的に判別できるように表示するようにした請求項７に記載のディジタル放送の受信装置。
【請求項９】  上記表示処理回路は、上記登録手段により予め登録されている機器のうち、番組録画予約が設定されている機器または接続されている機器に対して、登録の変更行為が行われる場合は所定の警告表示をするようにした請求項７に記載のディジタル放送の受信装置。
【請求項１０】  上記登録されている機器の選択を行う選択画面を表示するための表示手段を設けるようにした請求項１に記載のディジタル放送の受信装置。
【請求項１１】  ディジタル放送受信装置にディジタルインタフェースを介して接続されるディジタル信号処理機器の認識方法において、
上記ディジタルインタフェースに接続される複数のディジタル信号処理機器の中から所定数の機器を選択する選択ステップと、
上記選択ステップにおいて選択された機器に識別番号を割り当てる登録ステップと
を有することを特徴とするディジタル信号処理機器の認識方法。
【請求項１２】  上記登録ステップは、上記選択されたディジタル信号処理機器が上記ディジタルインタフェースに接続されているか否かに関わらず、上記選択されたディジタル信号処理機器に割り当てた識別番号を記憶し、登録するようにした請求項１１に記載のディジタル信号処理機器の認識方法。
【請求項１３】  上記登録ステップは、上記ディジタル信号処理機器が上記ディジタルインタフェースに接続されるときに、接続される機器がすでに識別番号とともに登録されているか否か確認するようにした請求項１１に記載のディジタル信号処理機器の認識方法。
【請求項１４】  上記登録ステップは、上記ディジタルインタフェースに接続されている機器のうち先着のものを上記所定数分自動的に登録するようにした請求項１２に記載のディジタル信号処理機器の認識方法。
【請求項１５】  上記登録ステップは、ユーザ入力により登録の変更を可能とした請求項１１に記載のディジタル信号処理機器の認識方法。
【請求項１６】  上記登録ステップは、予め登録されている機器のうち、番組録画予約が設定されている機器または接続されている機器の場合は、登録の変更を禁止するようにした請求項１１に記載のディジタル信号処理機器の認識方法。
【請求項１７】  上記登録されている機器の一覧表示を行うための表示処理ステップを設けるようにした請求項１１に記載のディジタル信号処理機器の認識方法。
【請求項１８】  上記登録されている機器の一覧表示を行うための表示処理ステップは、登録されている機器のうち上記ディジタルインタフェースに接続されている機器と接続されていない機器とが視覚的に判別できるように表示するようにした請求項１７に記載のディジタル信号処理機器の認識方法。
【請求項１９】  上記表示処理ステップは、上記登録ステップにおいて予め登録されている機器のうち、番組録画予約が設定されている機器または接続されている機器に対して、登録の変更行為が行われる場合は所定の警告表示をするようにした請求項１７に記載のディジタル信号処理機器の認識方法。
【請求項２０】  上記登録されている機器の選択を行う選択画面を表示するための表示処理ステップを設けるようにした請求項１１に記載のディジタル信号処理機器の認識方法。
【手続補正３】
【補正対象書類名】明細書
【補正対象項目名】０００１
【補正方法】変更
【補正の内容】
【０００１】
【発明の属する技術分野】
この発明は、例えば、映像データ及びオーディオデータがＭＰＥＧ（Moving Picture Experts Group）２方式のトランスポートストリームで放送される信号を受信し、このトランスポートストリームをＩＥＥＥ（Institute of Electrical Electronic Engineers）１３９４のインターフェースを介してディジタル信号処理機器に送るようにしたディジタル放送の受信装置及びディジタル信号処理機器の認識方法に関する。
【手続補正４】
【補正対象書類名】明細書
【補正対象項目名】０００８
【補正方法】変更
【補正の内容】
【０００８】
したがって、この発明の目的は、ＩＥＥＥ１３９４のインターフェースに複数の機器が接続されている場合に、操作性が向上されたディジタル放送の受信装置及びディジタル信号処理機器の認識方法を提供することにある。
【手続補正５】
【補正対象書類名】明細書
【補正対象項目名】０００９
【補正方法】変更
【補正の内容】
【０００９】
【課題を解決するための手段】
この発明は、映像データ及びオーディオデータが圧縮されて多重化されたトランスポートストリームで送られるディジタル放送を受信するディジタル放送の受信装置において、トランスポートストリームをデコードするデコーダと、ディジタル信号処理機器と互いにトランスポートストリームをやり取りするためのディジタルインタフェースと、ディジタルインタフェースに接続される複数のディジタル信号処理機器の中から所定数の機器を選択し、該選択された機器に識別番号を割り当てる登録手段とを有することを特徴とするディジタル放送の受信装置である。
また、この発明は、ディジタル放送受信装置にディジタルインタフェースを介して接続されるディジタル信号処理機器の認識方法において、ディジタルインタフェースに接続される複数のディジタル信号処理機器の中から所定数の機器を選択する選択ステップと、選択ステップにおいて選択された機器に識別番号を割り当てる登録ステップとを有することを特徴とするディジタル信号処理機器の認識方法である。